(57)【要約】      （修正有）【課題】従来マットレス等の洗浄機は、マットレスを横置きとし、表面から洗浄液を散布し、遠心力又はスタンプによる押さえで洗浄するものであり、洗浄能力が不十分であるばかりか、装置が大型となり且つ多様なマットレスの材質・形状に対して汎用性のないものであり、これを改善したマットレス等の洗浄機を提供する。【解決手段】洗浄室を形成するケーシング１内にマットレスを保持するケージボックス３Ａを設け、マットレスを縦型に挿入、局所汚れに対する洗浄と自動的な洗浄、すすぎ、脱水工程を簡単な操作で行えると共に、厚手マットレスの挿入を可能とし、更に制御の選択性を具備させて小型高性能、且つ汎用性のある装置に構成した。【選択図】図１
2013118873.tif 000002
【特許請求の範囲】
【請求項１】
マットレス等の被洗浄物を洗浄する際の洗浄室を形成するケーシング内には底面付近と天井面付近に、マットレスをほぼ直立状に挿入し回転させ得るためのケージボックスの上下に設けられた回転軸を嵌入する軸受けを配置し、前記ケージボックスは自動運転時モーターによってプーリー等を介して回転が与えられる構成とし、ケージボックス内にはマットレスを挿入した際安定した状態で格納させるための押さえ金具を設ける。ケージボックスは前扉を開いた状態にて手動により回動させ任意の位置に停止する機能を有し、マットレスの汚れの激しい箇所を高圧洗浄機等の器具を用いて目視によって手動操作で局部洗浄が実施出来るようにする。続く自動工程では前扉を閉じた後操作スイッチの操作によって一連の工程が自動的に進行するが、先ず、マットレスの表面はケーシングボックスの回転によって前記ケーシングの内面に設けられた噴出ノズルと対向する関係位置になる際一旦静止、又は小幅な首振り揺動ないし低速回転を行う状態において噴出ノズルからの洗浄液がポンプ又は圧縮機を介してのジェットシャワーによってマットレスの表面に吹き付けられる。次にマットレスはケージボックスの回転によってほぼ１８０度回転し裏面が前記噴出ノズルと対向する位置になる際に一旦静止、又は小幅な首振り揺動、ないし低速回転をしながら表面に対する洗浄液の吹き付けと同様の方式で洗浄液が吹き付けられる。次に噴出ノズルから洗浄液の吹き付けと同様の方法にて温水又は水を用いてのすすぎ液の吹き付けを実施し、次にマットレスの回転速度を速くして遠心力及び毛管現象を利用して洗浄ないしすすぎ作用の浸透と脱水作用を行わしめる。すすぎー脱水工程は通常２〜３回実施するが、手動洗浄を除くそれら一連の工程は電子制御装置の信号によって自動的に且つ汎用性を持って実施出来るように構成したことを特徴とするマットレス等の自動洗浄機。
【請求項２】
マットレスを収納し洗浄等の処理を行うケージボックスは厚さ７０〜１２０mm厚の標準マットレスに対する形状のものの他に、１２０〜２２０mm厚の厚手マットレスにも対応すべくマットレスの押さえ金具を有する通常の２倍程度の挿入幅のワイド形ケージボックスを、ケーシングへの上下回転軸を結ぶ投影線上に回転中心がくるように従来寸法のケージボックスと十字形に接合して、その何れにもマットレスを選択挿入できるようにしたことを特徴とする請求項１に記載のマットレス等の自動洗浄機。
【請求項３】
洗浄液ないしすすぎ液を加熱してその効果を高めるため貯蔵式湯沸かし器又は外部からの給湯を一旦貯蔵するための貯蔵タンク又はシスターンを外殻内に設け、自動運転中は一旦貯蔵された液体をポンプ又は圧縮機にて各噴出ノズルへ搬送しジェットシャワーとなるよう吐出させるが、すすぎ工程においてはそのまま、洗浄工程においては洗剤タンクからの洗剤と混合させて吐出させる。更に必要に応じてポンプによる循環洗浄又は循環すすぎ動作が可能となるよう貯蔵タンク、ポンプ、配管等の要素を配置したことを特徴とする請求項１及び請求項２に記載のマットレス等の自動洗浄機。
【請求項４】
洗浄、すすぎ、脱水の各工程終了後必要に応じて熱風により消毒、乾燥工程を付加し得るよう、被洗浄物が変質しない程度の高温度に加熱した熱風を洗浄室を形成するケーシング内に供給し、その一部を外気に放出せしめる構成とするが、熱風はガス又は石油燃焼による空気加熱装置又は電熱加熱によって発生させることを特徴とする請求項１から請求項３の何れにも記載のマットレス等の自動洗浄機。
【請求項５】
前扉が開いている間は運転がスタートできないよう、又運転中に前扉が開いたとき直ちに運転が停止するような安全装置、被洗浄物の位置や前記ケージボックス内での異常が発生した場合にセンサーの信号によって自動的に運転を停止する装置、内部の温度が異常に上昇した際に温度を検知して運転を停止する安全装置を組み込み、簡単な操作で自動運転の各動作が得られるよう電子制御による運転制御方式を具備したことを特徴とする請求項１から請求項４の何れにも記載のマットレスの自動洗浄機。
【請求項６】
前記ケーシングの内面に複数個設けられる噴出ノズルは、マットレス表面への洗浄液の吹き付け用に加えて、同時に裏面の一部に吹き付けるための噴出ノズルを設けたことを特徴とする請求項１から請求項５の何れにも記載のマットレスの自動洗浄機。
【発明の詳細な説明】
【技術分野】
【０００１】
この発明はベッド用マットレス等の福祉介護器材に付着した汚れを除去する目的の技術に関し、特にマットレスについては各種の厚みや各種の材質に対して表と裏の両面からの洗浄及びすすぎ動作が行われ、短時間で清潔な状態に処理する自動洗浄機の構成手段に係るものである。                                                                
【背景技術】
【０００２】
老齢化社会の進行に伴い発生した療養・介護環境の改善に関するニーズによって、ベッド用のマットレス等の福祉介護器材を清潔に保つことの必要性は益々拡大する傾向にあるが、マットレスについては、従来洗浄や消毒は殆ど行われていないか極めて不十分な手作業で実施されていたため衛生状態は甚だ不満足な状態であった。そのため病人、身障者、高齢者等への介護・療養環境の改善と感染防止のためにはマットレスを清潔な状態に保つことが焦眉の急ともいうべき社会的要請事項となっている。
このようなニーズに応えるため、近年マットレスを丸ごと自動的に洗浄する装置が開発され、市場への導入が試みられているが、それらの装置は性能的に不十分であり、外形寸法や設置面積が大きく価額も高いため普及していない現状である。
【０００３】
さらに、最近のマットレスの素材はポリエステル繊維以外の例えばポリウレタン製、空気クッション式、スプリング内蔵式等の新方式のものが多く出現し、寸法についても厚さ２００mmを超えるもの等多様化が顕著であるため、従来技術による機械装置では対応が困難となりつつある。
【０００４】
一般に普及しているベッド用のマットレスは通常１００mm程度の厚さのポリエステルその他の繊維質材料で製作されているが、長期間使用していると食品や体液等からの汚れが付着し表面のみならず内部にも浸透していて容易に洗浄し難い状態となることがよく知られている。          
従来は、マットレスを清潔に保つためにはやむを得ず、たわしやブラシ等を用いて手洗いの後、日光浴等の手段で乾燥処理をするのが一般的な清掃手段であったが、それらの方法は洗浄・消毒効果が不十分で、とくに繊維の内部に浸透した汚れを除去することは極めて困難であった。又、洗浄後繊維の内部に浸透したすすぎ用液体の乾燥にも多大の時間を要していた。
【０００５】
上記の課題を解決する目的で、洗剤の水溶液からなる洗浄液をシャワー状にマットレスの表面に吹き付けて洗浄し、すすぎ、脱水等の処理を自動的に行う機械も提案され実用化されつつあるが、それら従来式機械はマットレスを横長の方向に平らにして機械にセットし、マットレスの片面のみに洗浄液を塗布又は吹き付け、且つ遠心力又は多数のスタンプによる押し圧力を利用して、マットレスの厚み方向の内部に浸透させて洗浄効果を得ることを主な特徴としている。また、各種福祉器材を丸籠形のケース内に挿入して、このケースを洗浄室内にて回転させながら洗浄する方式も存在するが、マットレスのように扁平形の器材の洗浄には安定収納が難しく適していない。
【０００６】
これらの手段によれば、手洗いに比べて洗浄効果のバラツキが比較的少なく省力化も図れるが、最初に洗浄液が塗布されない面では洗浄効果が不十分で洗浄ムラが発生する他機械の設置スペースが大きく高価であり、マットレスの洗浄には全く不向きである等の問題があった。更にマットレスの変形や素材の劣化を伴う等の弊害があるため、市場でこの種機械の普及が進展しない原因となっていた。  
【０００７】
それら各種の機械的なマットレス洗浄・脱水についての先行技術の例は下記のとおりであるが、前述の公知の構造を含めて何れもニーズに十分応えきれない構成であり、自動洗浄によるマットレスの清潔さと衛生的効果を得る目的に対しても不十分な技術内容であった。
【先行技術文献】
【特許文献】
【０００８】
【特許文献１】特開２００２−１９１８９４号公報
【特許文献２】特開２００４−２１８９７７号公報
【特許文献３】特開２００６−１０２５６０号公報
【特許文献４】特開２００７−３１５７３０号公報
【特許文献５】特開２０１１−０６７７２２号公報
【発明の概要】
【発明が解決しようとする課題】
【０００９】
この発明は、従来の技術及びそれを前提としたマットレス等の福祉介護用器材の洗浄手段において、洗浄用機械の設置スペースを極力少なくし、比較的簡単でコンパクトな機器構成のもとで局部汚れへの対応を含む総合的洗浄効果を高め、且つマットレス等の被洗浄物に変形等の悪影響が残らない基本的構成の自動洗浄機を提供することを第一の課題とし、併せて洗浄後の仕上げ工程として自動的に動作する脱水機能を具え、消毒・乾燥手段をも付加し得る応用技術の提供を第二の課題とするものである。
【課題を解決するための手段】
【００１０】
上記の課題を解決するために請求項１の発明は、マットレス等の被洗浄物を洗浄する際の洗浄室を形成するケーシング１内には底面付近と天井面付近に、マットレス２をほぼ直立状に挿入し回転させ得るためのケージボックス３Ａの上下に設けられた回転軸４，４’を嵌入する軸受け５，５’を配置し、前記ケージボックス３Ａは自動運転時モーター６によってプーリー７等を介して回転が与えられる構成とし、ケージボックス内にはマットレスを挿入した際安定した状態で格納させるための押さえ金具８Ａを設ける。ケージボックス３Ａは前扉を開いた状態にて手動により回動させ任意の位置に停止する機能を有し、マットレスの汚れの激しい箇所を高圧洗浄機等の器具を用いて目視によって手動操作で局部洗浄が実施出来るようにする。続く自動工程では前扉を閉じた後操作スイッチ１１の操作によって一連の工程が自動的に進行するが、先ず、マットレスの表面はケーシングボックスの回転によって前記ケーシングの内面に設けられた噴出ノズル１２Ａ・・、１２Ａ’・・と対向する関係位置になる際一旦静止、又は小幅な首振り揺動ないし低速回転を行う状態において噴出ノズルからの洗浄液がポンプ又は圧縮機を介してのジェットシャワーによってマットレスの表面に吹き付けられる。次にマットレスはケージボックスの回転によってほぼ１８０度回転し裏面が前記噴出ノズルと対向する位置になる際に一旦静止、又は小幅な首振り揺動、ないし低速回転をしながら表面に対する洗浄液の吹き付けと同様の方式で洗浄液が吹き付けられる。次に噴出ノズルから洗浄液の吹き付けと同様の方法にて温水又は水を用いてのすすぎ液の吹き付けを実施し、次にマットレスの回転速度を速くして遠心力及び毛管現象を利用して洗浄ないしすすぎ作用の浸透と脱水作用を行わしめる。すすぎー脱水工程は通常２〜３回実施するが、手動洗浄を除くそれら一連の工程は電子制御装置１３の信号によって自動的に且つ汎用性をもって実施出来るように構成したことを特徴とするマットレス等の自動洗浄機についてのものである。
【００１１】
請求項２の発明はマットレスを収納し洗浄等の処理を行うケージボックスは厚さ７０〜１２０mm厚の標準マットレスに対する形状のものの他に、１２０〜２２０mm厚の厚手マットレスにも対応すべくマットレスの押さえ金具８Ｂを有する通常の２倍程度の挿入幅のワイド形ケージボックス３Ｂを、ケーシングへの上下回転軸を結ぶ投影線上に回転中心がくるように従来寸法のケージボックス８Ａと十字形に接合して、その何れにもマットレスの厚みに応じて選択挿入できるようにしたことを特徴とする請求項１に記載のマットレス等の自動洗浄機についてのものである。
【００１２】
請求項３の発明は、洗浄液ないしすすぎ液を加熱してその効果を高めるため貯蔵式湯沸かし器１４又は外部からの給湯を一旦貯蔵するための貯蔵タンク又はシスターン１５を外殻１６内に設け、自動運転中は一旦貯蔵された液体をポンプ又は圧縮機にて各噴出ノズルへ搬送しジェットシャワーとなるよう吐出させるが、すすぎ工程においては湯水のまま、洗浄工程においては洗剤タンク１７からの洗剤と湯水を混合させて吐出させる。更に必要に応じてポンプによる循環洗浄又は循環すすぎ動作が可能となるよう貯蔵タンク、ポンプ、配管等の要素を配置したことを特徴とする請求項１及び請求項２に記載のマットレス等の自動洗浄機についてのものである。
【００１３】
請求項４の発明は、洗浄、すすぎ、脱水の各工程終了後必要に応じて熱風により消毒、乾燥工程を付加し得るよう、被洗浄物が変質しない程度の高温度に加熱した熱風を洗浄室を形成するケーシング内に供給し、その一部を外気に放出せしめる構成とするが、熱風はガス又は石油燃焼による空気加熱装置又は電熱加熱によって発生させることを特徴とする請求項１から請求項３の何れにも記載のマットレス等の自動洗浄機についてのものである。
【００１４】
請求項５の発明は、前扉が開いている間は運転がスタートできないよう、又運転中に前扉が開いたとき直ちに運転が停止するような安全装置、被洗浄物の位置や前記ケージボックス内での異常が発生した場合にセンサーの信号によって自動的に運転を停止する装置、内部の温度が異常に上昇した際に温度を検知して運転を停止する安全装置を組み込み、簡単な操作で自動運転の各動作が得られるよう電子制御による運転制御方式を具備したことを特徴とする請求項１から請求項４の何れにも記載のマットレスの自動洗浄機についてのものである。
【００１５】
請求項６の発明は、前記ケーシングの内面に複数個設けられる噴出ノズルは、マットレス表面への洗浄液の吹き付け用に加えて、同時に裏面の一部に吹き付けるための噴出ノズルを設けたことを特徴とする請求項１から請求項５の何れにも記載のマットレスの自動洗浄機についてのものである。  
【発明の効果】
【００１６】
この発明は、以上説明したような手段で実施され、以下に示すような効果を奏する。
（１）比較的簡単な構成の下でマットレス等の被洗浄物の両面を洗浄することが可能であり、且つ遠心作用及び毛管作用によって洗浄液やすすぎ液をマットレス内部に浸透させ、内部の汚れまで除去することができる。
（２）同一の洗浄槽内で洗浄・すすぎ・脱水・消毒・乾燥の機能を有する各工程の仕様と種類を選択の上自動的に連続して作動する構成となし得るため、省力化に繋がり、ひいてはマットレス等の被洗浄物の衛生状態の改善に効果がある。
【００１７】
（３）マットレスを立てた状態で洗浄等の処理ができるので、マットレスの汚れの多い部分（両肩の当たる枕位置付近と排泄位置付近）を集中的に洗浄液を噴出ノズルから噴射塗布することが可能であるから、実際の使用上で効果的な洗浄作用がなされる。又マットレスの両肩の当たる付近が下方になるようケージボックスに嵌め込むことによって、洗浄液等の液体が重力で自然に下方に溜まりやすくなり、部分的な汚れに対して際だった洗浄効果が期待できる。
【００１８】
（４）マットレスを立てた状態で洗浄等の処理する構成であるから作業性に優れている。又従来の横置き型と比較して設置スペースが少なくて済み、且つ洗浄のためのマットレスの機械への着脱も簡単である。なお、マットレスはがたつきの少ないようにケージボックスに押さえ金具で取り付けられるので撓みの発生が少ない。
又、前扉を開いてマットレスを適当な位置に一旦静止することができるため、目視により特に汚れの大きい箇所を選別して高圧洗浄機等の洗剤スプレイガンを用いて局所的に手洗いすることが可能であり、動作はマットレスの表裏について実施出来るため手軽に確実な洗浄が期待出来る。
（５）マットレス以外の介護用品を洗浄する場合に、前記ケージボックスに各種介護用品を簡単に取り付けられるので、各工程の制御方式の一部変更操作によって機械装置がそのまま効果的に使用できる。又、保持具の回転数を変化させて被洗浄物に適した脱水手段が容易に選択実施できるため、洗浄処理用途の拡大効果も期待出来る。
【００１９】
（６）自動洗浄工程において、マットレス表面への噴出ノズルからの洗浄液噴射と同時に、マットレス裏面の一部に洗浄液を噴出するための噴出ノズルを具える請求項６に示す形態の構成について、マットレスの汚れの多い箇所、例えば枕の当たる位置への洗浄液多量塗布が可能となり、洗浄効果の向上がなされる。
【図面の簡単な説明】
【００２０】
【図１】この発明の実施例において断面を示す平面図である。
【図２】この発明の実施例の断面を示す側面図である。
【図３】この発明の実施例を示す正面図である。
【発明を実施するための形態】
【実施例】
【００２１】
図１，図２，図３において、先ず請求項１の発明を説明すれば、マットレス等の被洗浄物を洗浄する際の洗浄室を形成するケーシング１内に設置されるケージボックス３Ａには上下一対の回転軸４，４’を設け、ケーシング１の底面中央付近と天井面中央付近に設けた軸受け５，５’に嵌入することによって回転可能な状態に構成される。マットレス２はケージボックスに収納され押さえ金具８Ａ及びロック金具９Ａによってほぼ直立安定した位置になるようセットされる。前扉１０を開いた状態ではケージボックスは手動にて任意の位置に回動停止させることが可能な構成とし、自動洗浄工程に入る前に高圧洗浄機等を用いてマットレスの局部汚れを表裏、側面等全面に亘って目視により手動操作にて洗浄することができる機能を有する。次の自動工程では先ず前扉１０を閉め操作スイッチ１１の操作によって前記ケージボックス３Ａはモーター６によってプーリー７等を介して回転が与えられる構成となり、洗浄、すすぎ、脱水等一連の工程が自動的に進行するが、第１の洗浄工程においてはケージボックスに入れられたマットレスが回転によって表面に対して噴出ノズル１２，・・１２’・・からのジェットシャワーと対向する位置になる際、一旦停止又は小幅な首振り揺動を行うか、極めて低速回転にてジェットシャワーの当たりを通過するかして、十分な洗浄液を吹き付け散布させる。
【００２２】
ジェットシャワーは洗浄液等をポンプ１３又は圧縮機（図示せず）によって噴出ノズルを通して得られるが、マットレスの側面及び裏面についても表面の洗浄と同様の方法で実施される。次にすすぎ工程に入るが、本工程では洗浄液に代わる温水又は冷水を洗浄工程と同様ジェットシャワーにてマットレス２のすすぎ洗いを行う。すすぎ工程は通常２〜３回ジェットノズルからのすすぎ液の噴射と排水を繰り返し実施するが、洗浄、すすぎの各工程ごとにケージボックスの回転を高めてマットレス内部への浸透を図る場合も存在する。すすぎ工程完了後はケージボックスの回転を一層高めて遠心力により脱水を行うものとしこれらの各工程は、手動洗浄を除いて電子制御の信号によって自動的に実施され各工程の時間、回転数等も任意の値に設定することができる特徴を有している。
【００２３】
次に、請求項２の発明を実施例について説明すれば、本発明は請求項１において近年病院用の療養ベッド対応の目的等で一般的なポリエステル繊維を材料としたマットレスの他に約２倍の厚さのポリウレタン製やスプリング入りその他の材質ものが出現し増加傾向にあるので、その対策として発明した形態についてのものである。即ち洗浄室を形成するケーシング１に設けられたマットレス収納用ケージボックスは、厚さ７０mm〜１２０mmの標準型マットレスへ対応のケージボックス３Ａの他に厚さ１２０mm〜２２０mmの厚手マットレスにも対応すべくマットレスの押さえ金具８Ｂとロック金具９Ｂを有するワイド型ケージボックス３Ｂを、ケーシングの上下回転軸受け５，５’を結ぶ投影線上に回転中心が来るように、標準型対応のケージボックス３Ａと十字形に接合して、３Ａと３Ｂの何れにもマットレスを選択して挿入できるようにしたことを特徴とするもので、簡単な構成の下で汎用性が拡大し故障も少ない構成とするものである。
【００２４】
請求項３の発明を実施例について説明すれば、洗浄及びすすぎの効果を高める目的で５０℃〜６０℃程度に液体の温度を高める手段として、貯蔵式湯沸かし器１４からの温水又は外部の給湯器からの温水を一旦貯蔵するための貯蔵タンク又はシスターン１５を外殻１６内に設置、洗浄工程中は洗剤タンク１７からの洗剤原液を貯蔵した温水とを混合させてポンプ１３又は圧縮機にて各噴出ノズルに搬送する。すすぎ工程においては洗剤を電磁弁等で遮断し温水又は水のみ直接各噴出ノズルに搬送する。この際通常の工程では洗浄又はすすぎを行った後、排水されるが、必要に応じて電子制御の信号によって循環洗浄又は循環すすぎ作用が行われるように貯蔵タンク又はシスターン１５、ポンプ１３、各部配管等を配置して汎用性を持たせたことを特徴とし、請求項１〜請求項３の何れにも適用する発明となっている。
【００２５】
請求項４の発明を説明すれば、請求項１〜請求項３の何れにも記載の発明において、洗浄からすすぎ、脱水までの一連の自動運転終了後、自動的に乾燥工程を付加するもので、被洗浄物が変質しない程度の高温度に昇温した熱風をケーシング１内に吹き付けて消毒と乾燥作用を実施するため、熱風を生成するためのガス又は石油燃焼による空気加熱装置又は電熱による加熱装置１８を設置する。一方ケーシング１内にて発生する水蒸気は外気にその一部を放出し得るように通気口１９を設ける。なお、発生する熱風はクリーンでドライな性質を要求されるため、ガス又は石油燃焼加熱方式においては、熱交換器を用いて間接的に空気を加熱する方が望ましい。
【００２６】
請求項５の発明は、前扉１０が開いている間は自動運転のスイッチ１１を操作しても自動運転が開始されないよう、又自動運転中に前扉が開かないようなロック装置を内蔵し、万一前扉１０が開いた場合直ちに運転を停止するような安全装置及び被洗浄物の異常状態が発生したりケージボックス内での異常が発生した際センサーの信号によって自動的に運転を停止する装置、更にケーシング１内の温度が異常に上昇した際に温度を検知して運転を停止する安全装置を組み込み、且つ簡単な操作で自動運転の各工程の動作が得られるように電子制御を利用した制御方式を具備したことを特徴とする請求項１〜請求項４の何れにも記載の発明についてのものである。
【００２７】
請求項６の発明は、請求項１〜請求項５の何れにも記載の発明において、前記ケーシング１の内面に複数個設けられる噴出ノズルは、マットレス２の表面への洗浄液やすすぎ液の吹き付け用１２Ａ・・、１２Ａ’・・に加えて、同時に裏面にも吹き付けられるように、対向して噴出ノズル１２Ｂ・・、１２Ｂ’・・を付加したことを特徴としたもので作業性の向上を図る内容としている。
【００２８】
図１，図３において２０はケージボックスの回転位置をチェックする位置センサー、２１は、異常振動が発生した際に信号を発して運転を中止するための振動検知センサー、２２は電子制御装置である。また、燃焼制御を実施する場合は、炎検知センサー、温度センサー、空燃比制御センサー（何れも図示せず）等幾多のセンサー類が使用される。
【００２９】
なお、この発明は上記の実施例に限定されず、マットレスを縦型に配置し、ケーシングにマットレスをセットした状態で、自動工程に移る前に前扉を開放して局部的な汚れを目視にて高圧洗浄機等を使用して手動洗浄でき、そのままの取り付け状態で自動洗浄に入ることができる構成、続く自動工程では先ず表裏両面から洗浄液を塗布し且つ両面からのすすぎを行うことを可能にする構成、マットレスの厚さに応じて対応できるケージボックスを巧みにケーシング内に設置する構成その他、各請求項に示すこの発明の基本的構成概念を前提として幾多の実施例が存在する。例えば被洗浄物の汚れの程度に応じて洗浄液を塗布する前に温水にて予洗浄を行う工程を追加したり、ケーシング１内の水蒸気を外部に放出するための通気口１９には、乾燥工程の湿度状況により開口部の面積を可変にする自動ダンパーを設けることも考えられる。
【符号の説明】
【００３０】
１                      ケーシング
２                      マットレス
３Ａ                    ケージボックス                  
３Ｂ                    ワイド形ケージボックス
４，４’                回転軸
５，５’                軸受け
６                      モーター
７                      プーリー
８Ａ，８Ｂ              押さえ金具
９Ａ，９Ｂ              ロック金具
１０                      前扉
１１                      スイッチ
１２Ａ・・，１２Ａ’・・  噴出ノズル（前）
１２Ｂ・・，１２Ｂ’・・  噴出ノズル（奥）                
１３                      ポンプ                      
１４                      貯蔵式湯沸かし器                      
１５                      シスターン
１６                      外殻
１７                      洗剤タンク
１８                      加熱装置
１９                      通気口
２０                      位置センサー
２１                      振動センサー
２２                      電子制御装置
【図１】
2013118873.tif 000003
【図２】
2013118873.tif 000004
【図３】
2013118873.tif 000005